(57)【要約】【課題】流路抵抗を低減することができ、本体を小形化できる同時給排形換気装置を提供する。【解決手段】天井壁１裏側に設置される本体２内に設けられた排気用ファン７および給気用ファン８の回転軸１０を、本体２の室内側に設けられた通風のための開口２ａに対して略垂直方向に配設する電動機９と、開口２ａに対向して排気用ケーシング１２と、この排気用ケーシング１２の上方の隣接した位置に配設される給気用ケーシング１３とを備え、本体２の側壁に設けられた給気用吸込み口１４から給気用ケーシング１３内に吸い込まれた室外空気は排気用ケーシング１２の外側を通り、室内と連通して開口２ａ側に設けられる給気用吹出し口５から室内へ吹き出されること構成とする。【選択図】図４ 
2005147547.tif 000002
【特許請求の範囲】
【請求項１】
室内空気を室外に排気し室外空気を室内に給気するために本体内に設けられた排気用ファンおよび給気用ファンの回転軸を、前記本体の室内側に設けられた通風のための開口に対して略垂直方向に配設して前記排気用ファンおよび前記給気用ファンを駆動する電動機と、前記開口に対向して設けられる排気用ケーシング吸込み口を備え内部に前記排気用ファンを有した排気用ケーシングと、この排気用ケーシングに対して反前記開口側であって前記排気用ケーシングに隣接した位置に内部に前記給気用ファンを有して配設される給気用ケーシングとを備え、前記本体の側壁に設けられた給気用吸込み口から前記給気用ファンにより前記給気用ケーシング内に吸い込まれた室外空気は前記排気用ケーシングの外側を通り、室内と連通して前記開口側に設けられる給気用吹出し口から室内へ吹き出されることを特徴とする同時給排形換気装置。
【請求項２】
天井壁裏側に設置される本体内に設けられた排気用ファンおよび給気用ファンの回転軸を、前記本体の室内側に設けられた通風のための開口に対して略垂直方向に配設して前記排気用ファンおよび前記給気用ファンを駆動する電動機と、前記開口に対向して設けられる排気用ケーシング吸込み口を備え内部に前記排気用ファンを有した排気用ケーシングと、この排気用ケーシングの上方の隣接した位置に内部に前記給気用ファンを有して配設される給気用ケーシングとを備え、前記本体の側壁に設けられた給気用吸込み口から前記給気用ファンにより前記給気用ケーシング内に吸い込まれた室外空気は前記排気用ケーシングの外側を通り、室内と連通して前記開口側に設けられる給気用吹出し口から室内へ吹き出されることを特徴とする同時給排形換気装置。
【請求項３】
天井壁裏側に設置される本体内に設けられた排気用ファンおよび給気用ファンの回転軸を、前記本体の室内側に設けられた通風のための開口に対して略垂直方向に配設して前記排気用ファンおよび前記給気用ファンを駆動する電動機と、前記開口に対向して設けられる排気用ケーシング吸込み口を備え内部に前記排気用ファンを有した排気用ケーシングと、この排気用ケーシングの上方の隣接した位置に内部に前記給気用ファンを有して配設される給気用ケーシングとを備え、前記本体の側壁に設けられた給気用吸込み口から前記給気用ファンにより吸い込まれた室外空気は、前記給気用ケーシングから下方に向かって前記排気用ケーシングの周囲に形成される給気流路を通り、室内と連通して前記開口側に設けられる給気用吹出し口から室内へ吹き出されることを特徴とする同時給排形換気装置。
【請求項４】
前記給気用吸込み口と前記本体の側壁に設けられた排気用吹出し口とを隣接させ仕切りにより排気流路と給気流路に区画して形成したことを特徴とする請求項１、２、または３に記載の同時給排形換気装置。
【請求項５】
前記給気用吸込み口に設けた給気フィルター部を室内側より着脱可能にしたことを特徴とする請求項１、２、３、または４に記載の同時給排形換気装置。
【請求項６】
前記排気用吸込み口に対向する室内側に設けたフィルターを本体の外側より着脱可能にしたことを特徴とする請求項１、２、３、４または５に記載の同時給排形換気装置。
【発明の詳細な説明】
【技術分野】
【０００１】
本発明は、建材や家具等に含まれるホルムアルデヒドやＶＯＣ（揮発性有機化合物）によって引き起こされるシックハウス症候群を軽減するため、住宅内の換気を行う同時給排形換気装置に関する。
【背景技術】
【０００２】
従来の換気装置は、居室の天井内に設置された箱状の本体に、同時給排換気を行う給気用ファンおよび排気用ファンを有し、前記給気用ファンおよび排気用ファンに連通する給気口および排気口を本体下面に配設し、給気通路と排気通路が交差するところに両者の空気の熱交換を行って排気から給気へ熱回収するための熱回収器を配設するものが知られていた（例えば、特許文献１参照）。
【０００３】
以下、その換気装置について図７を参照しながら説明する。
【０００４】
図７に示すように、居室内の天井壁１０１に設置された箱状の本体１０２は、側面には給気用吸込み口１０３と排気用吹出し口１０４とを有し、それぞれダクト接続部を介してダクト１１２ａ、１１２ｂと接続され、また、本体１０２の下面には給気用吹出し口１０５と排気用吸込み口１０６とを有している。本体１０２の内部には、排気用吸込み口１０６から排気用吹出し口１０４に至る排気流路１０７を形成する排気用ファンと熱交換素子１０９を連通して設け、給気用吸込み口１０３から給気用吹出し口１０５に至る給気流路１１０を形成する給気用ファンと熱交換素子１０９を連通して設けている。排気用ファンと給気用ファンを駆動する電動機は、その回転軸の両端部に排気用ファンと給気用ファンが固定され、回転軸は水平方向に配設されている。また、熱交換素子１０９は、排気流路と給気流路が交差する位置に設けられている。
【特許文献１】特開２０００−２１３７８５号公報
【発明の開示】
【発明が解決しようとする課題】
【０００５】
このような従来の構成では、排気用ファンと給気用ファンを駆動する電動機の回転軸を本体の下面に対して水平方向に配設するためにファンの形状により製品高さが大きくなるという課題があり、また、排気流路と給気流路が複雑化するという課題があった。
【０００６】
本発明は、このような従来の課題を解決するもので、本体を小形化し排気流路および給気流路を簡素化するとともに、施工性、メンテナンス性にも優れ、また、シックハウス症候群の対策としての居室換気を満足できる性能の同時給排形換気装置を提供することを目的とする。
【課題を解決するための手段】
【０００７】
前記課題を解決するために、本発明の同時給排形換気装置は、室内空気を室外に排気し室外空気を室内に給気するために本体内に設けられた排気用ファンおよび給気用ファンの回転軸を、前記本体の室内側に設けられた通風のための開口に対して略垂直方向に配設して前記排気用ファンおよび前記給気用ファンを駆動する電動機と、前記開口に対向して設けられる排気用ケーシング吸込み口を備え内部に前記排気用ファンを有した排気用ケーシングと、この排気用ケーシングに対して反前記開口側であって前記排気用ケーシングに隣接した位置に内部に前記給気用ファンを有して配設される給気用ケーシングとを備え、前記本体の側壁に設けられた給気用吸込み口から前記給気用ファンにより前記給気用ケーシング内に吸い込まれた室外空気は前記排気用ケーシングの外側を通り、室内と連通して前記開口側に設けられる給気用吹出し口から室内へ吹き出されるものである。
【０００８】
この手段により、本体内の流路を短く構成して簡素化するとともに流路抵抗を低減でき、またファンの高さを低することができるので本体を小形化できる同時給排形換気装置が得られる。
【０００９】
また、天井壁裏側に設置される本体内に設けられた排気用ファンおよび給気用ファンの回転軸を、前記本体の室内側に設けられた通風のための開口に対して略垂直方向に配設して前記排気用ファンおよび前記給気用ファンを駆動する電動機と、前記開口に対向して設けられる排気用ケーシング吸込み口を備え内部に前記排気用ファンを有した排気用ケーシングと、この排気用ケーシングの上方の隣接した位置に内部に前記給気用ファンを有して配設される給気用ケーシングとを備え、前記本体の側壁に設けられた給気用吸込み口から前記給気用ファンにより前記給気用ケーシング内に吸い込まれた室外空気は前記排気用ケーシングの外側を通り、室内と連通して前記開口側に設けられる給気用吹出し口から室内へ吹き出されるものである。
【００１０】
この手段により、本体内の流路を短く構成して簡素化するとともに流路抵抗を低減でき、またファンの高さを低することができるので、天井壁裏内に収納される本体の小形化が図られ、天井裏の懐が小さい建物にも設置可能な同時給排形換気装置が得られる。
【００１１】
また、天井壁裏側に設置される本体内に設けられた排気用ファンおよび給気用ファンの回転軸を、前記本体の室内側に設けられた通風のための開口に対して略垂直方向に配設して前記排気用ファンおよび前記給気用ファンを駆動する電動機と、前記開口に対向して設けられる排気用ケーシング吸込み口を備え内部に前記排気用ファンを有した排気用ケーシングと、この排気用ケーシングの上方の隣接した位置に内部に前記給気用ファンを有して配設される給気用ケーシングとを備え、前記本体の側壁に設けられた給気用吸込み口から前記給気用ファンにより吸い込まれた室外空気は、前記給気用ケーシングから下方に向かって前記排気用ケーシングの周囲に形成される給気流路を通り、室内と連通して前記開口側に設けられる給気用吹出し口から室内へ吹き出されるものである。
【００１２】
この手段により、本体内の流路を短く構成して簡素化するとともに流路抵抗を低減でき、またファンの高さを低することができるので、天井壁裏内に収納される本体の小形化が図られ、天井裏の懐が小さい建物にも設置可能な同時給排形換気装置が得られる。
【００１３】
また、前記給気用吸込み口と前記本体の側壁に設けられた排気用吹出し口とを隣接させ仕切りにより排気流路と給気流路に区画して形成したものである。
【００１４】
この手段により、排気ダクトと給気ダクトをそれぞれ別個に必要とせず、施工が容易になるとともに、排気経路と給気経路のダクト抵抗をほぼ等しくできることより、排気風量と給気風量の風量比をほぼ一定に保つことができる同時給排形換気装置が得られる。
【００１５】
また、前記給気用吸込み口に設けた給気フィルター部を室内側より着脱可能にしたものである。
【００１６】
この手段により、室外側から吸い込まれる空気により汚れたフィルターのみを、本体を取り外すことなく、本体から取り外して清掃することができ、メンテナンス性を向上することができる同時給排形換気装置が得られる。
【００１７】
また、前記排気用吸込み口に対向する室内側に設けたフィルターを本体の外側より着脱可能にしたものである。
【００１８】
この手段により、フィルターが使用者の目に付きやすい本体の下面に設けられているので、使用者がフィルターの汚れの判断をしやすく、掃除を促すことができ、また、本体を取り外すことなくフィルターのみを本体から取り外して清掃することができ、メンテナンス性を向上することができる同時給排形換気装置が得られる。
【発明の効果】
【００１９】
本発明によれば、本体を小形化し排気流路と給気流路を簡素化できるとともに、施工性、メンテナンス性が優れた同時給排形換気装置を提供することができる。
【発明を実施するための最良の形態】
【００２０】
本発明の請求項１記載の発明は、室内空気を室外に排気し室外空気を室内に給気するために本体内に設けられた排気用ファンおよび給気用ファンの回転軸を、前記本体の室内側に設けられた通風のための開口に対して略垂直方向に配設して前記排気用ファンおよび前記給気用ファンを駆動する電動機と、前記開口に対向して設けられる排気用ケーシング吸込み口を備え内部に前記排気用ファンを有した排気用ケーシングと、この排気用ケーシングに対して反前記開口側であって前記排気用ケーシングに隣接した位置に内部に前記給気用ファンを有して配設される給気用ケーシングとを備え、前記本体の側壁に設けられた給気用吸込み口から前記給気用ファンにより前記給気用ケーシング内に吸い込まれた室外空気は前記排気用ケーシングの外側を通り、室内と連通して前記開口側に設けられる給気用吹出し口から室内へ吹き出されることを特徴とする同時給排形換気装置であり、排気流路および給気流路の経路を短くして、流路抵抗を低減することにより、風量の増大、騒音の低減ができ、また、排気用ファンと給気用ファンの羽根高さを低くすることができるので、本体を小形化できるという作用を有する。
【００２１】
また、本発明の請求項２記載の発明は、天井壁裏側に設置される本体内に設けられた排気用ファンおよび給気用ファンの回転軸を、前記本体の室内側に設けられた通風のための開口に対して略垂直方向に配設して前記排気用ファンおよび前記給気用ファンを駆動する電動機と、前記開口に対向して設けられる排気用ケーシング吸込み口を備え内部に前記排気用ファンを有した排気用ケーシングと、この排気用ケーシングの上方の隣接した位置に内部に前記給気用ファンを有して配設される給気用ケーシングとを備え、前記本体の側壁に設けられた給気用吸込み口から前記給気用ファンにより前記給気用ケーシング内に吸い込まれた室外空気は前記排気用ケーシングの外側を通り、室内と連通して前記開口側に設けられる給気用吹出し口から室内へ吹き出されることを特徴とする同時給排形換気装置であり、排気流路および給気流路の経路を短くして、流路抵抗を低減することにより、風量の増大、騒音の低減ができ、また、排気用ファンと給気用ファンの羽根高さを低くすることができるので、天井裏内に収納される本体の小形化が実現でき、天井裏空間が狭い建物にも設置することができるという作用を有する。
【００２２】
また、請求項３記載の発明は、天井壁裏側に設置される本体内に設けられた排気用ファンおよび給気用ファンの回転軸を、前記本体の室内側に設けられた通風のための開口に対して略垂直方向に配設して前記排気用ファンおよび前記給気用ファンを駆動する電動機と、前記開口に対向して設けられる排気用ケーシング吸込み口を備え内部に前記排気用ファンを有した排気用ケーシングと、この排気用ケーシングの上方の隣接した位置に内部に前記給気用ファンを有して配設される給気用ケーシングとを備え、前記本体の側壁に設けられた給気用吸込み口から前記給気用ファンにより吸い込まれた室外空気は、前記給気用ケーシングから下方に向かって前記排気用ケーシングの周囲に形成される給気流路を通り、室内と連通して前記開口側に設けられる給気用吹出し口から室内へ吹き出される同時給排形換気装置であり、排気流路および給気流路の経路を短くして、流路抵抗を低減することにより、風量の増大、騒音の低減ができ、また、排気用ファンと給気用ファンの羽根高さを低くすることができるので、天井裏内に収納される本体の小形化が実現でき、天井裏空間が狭い建物にも設置することができるという作用を有する。
【００２３】
また、請求項４記載の発明は、請求項１、２、または３記載の換気装置に、前記給気用吸込み口と前記本体の側壁に設けられた排気用吹出し口とを隣接させ仕切りにより排気流路と給気流路に区画して形成したことにより、排気ダクトと給気ダクトをそれぞれ別個に必要とせず、施工が容易になるとともに、排気経路と給気経路のダクト抵抗をほぼ等しくでき、排気風量と給気風量の風量比がほぼ一定になるという作用を有する。
【００２４】
また、請求項５記載の発明は、請求項１、２、３、または４記載の換気装置に、前記給気用吸込み口に設けた給気フィルター部を室内側より着脱可能にしたことにより、室外側から吸い込まれる空気により汚れたフィルターのみを、本体を取り外すことなく、本体から取り外して清掃することができ、メンテナンス性が向上するという作用を有する。
【００２５】
また、請求項６記載の発明は、請求項１、２、３、４、または５記載の換気装置に、前記排気用吸込み口に対向する室内側に設けたフィルターを本体の外側より着脱可能にしたことにより、フィルターが使用者の目に付きやすい本体の下面に設けられているので、使用者がフィルターの汚れの判断をしやすく、掃除を促すことができ、また、本体を取り外すことなくフィルターのみを本体から取り外して清掃することができ、メンテナンス性が向上するという作用を有する。
【００２６】
以下、本発明の実施の形態について図面を参照しながら説明する。
【００２７】
（実施の形態１）
図１および図２に示すように、本発明の同時給排形換気装置は、居室内の天井壁１に設けられる開口から挿入されて天井裏内に納められるように設置された箱状の本体２の側壁に給気用吸込み口３および排気用吹出し口４を有し、それぞれダクト接続部１７ａ、１７ｂを介してダクト１８ａ、１８ｂと接続されて屋外と連通する。本体２には室内側であって下面に設けられ室内との通風のための開口２ａを設け、この開口２ａは、内部に給気ファン８を有する給気用ケーシング１３の給気用ケーシング吹出し口１６、および内部に排気ファン７を有する排気用ケーシング１２の排気用ケーシング吸込み口１１を介して本体２の側面の給気用吸込み口３および排気用吹出し口４に連通する。
【００２８】
また、図３に示すように、本体２内に排気用ファン７と給気用ファン８を駆動する回転軸１０を本体の室内側に設けられた開口２ａに対して略垂直方向に配設した電動機９と、開口２ａに対向するように開口２ａ側に排気用ケーシング吸込み口１１が設けられ、内部に排気用ファン７を有する排気用ケーシング１２を配設し、排気用ケーシング１２の出口を本体２の側壁に設けた排気用吹出し口４に連通させる。
【００２９】
また、図４に示すように、開口２ａ側に設けられた排気用ケーシング１２の上方に隣接して内部に給気用ファン８を有する給気用ケーシング１３を配設し、給気用ケーシング吸込み口１４は排気用ケーシング吸込み口１１と離れた本体２の天面側で給気用ファン８の上方に設けられ、給気用ケーシング１３の側壁に開口された給気用ケーシング吸込み口１４に連通させる。給気用ケーシング１３は、給気用ファン８の遠心方向に設けられる吹き出し口から下方の排気用ケーシング１２の周囲に放射状に形成される給気流路１５を有し、給気流路１５は、本体２下面の略中央に設けられる排気用吸込み口６の周囲に配設された給気用吹出し口５と連通する。
【００３０】
また、排気用ファン７と給気用ファン８は電動機９を間に設けて回転軸１０の両端側でそれぞれ固定され、回転軸１０の回転により同時に回転し、相反して設けられる給気ケーシング用吸込み口１４と排気ケーシング用吸込み口１１から吸引しそれぞれ給気流と排気流を形成するものである。
【００３１】
上記構成において、本発明の同時給排形換気装置を運転すると、排気用ファン７を運転することにより、本体２の下面側の排気用吸込み口６に室内の空気が吸い込まれ、排気用ファン７を介して排気用吹出し口４から吹き出されダクト１８ｂ内を通って室外へ排気される。また、給気用ファン８を運転することにより、室外側から吸い込まれた空気はダクト１８ａ内を通って給気用吸込み口３を介して給気用ケーシング吸込み口１４の内側の給気用ファン８を通って給気用ケーシング１３内に引きこまれ、給気用ケーシング１３から下方に向かって排気用ケーシング１２の周囲に形成された給気流路１５を通り本体２の下面に形成された給気用吹出し口５から室内側へと給気される。
【００３２】
このように本発明によれば、天井壁１裏側に収納される本体２内に排気用ファン７と給気用ファン８を駆動する電動機９の回転軸１０を本体２の室内側に設けられた開口２ａに対して略垂直方向に配し、開口２ａに対向するように開口２ａ側に排気用ケーシング吸込み口１１が設けられる排気用ケーシング１２および排気用ファン７を配設し、開口２ａ側に設けられた排気用ケーシング１２の上方に隣接して内部に給気用ファン８を有する給気用ケーシング１３を配設することにより、排気流路および給気流路の経路を複雑化しないで短くでき、流路抵抗を低減することにより風量の増大、騒音の低減ができ、排気用ファン７と給気用ファン８の羽根高さを低くできるので、本体を小形化できる。
【００３３】
また、室外側から吸い込まれた空気はダクト１８ａ内を通って給気用吸込み口３を介して給気用ケーシング吸込み口１４の内側の給気用ファン８を通って給気用ケーシング１３内に引きこまれ、給気用ケーシング１３から下方に向かって排気用ケーシング１２の周囲に形成された給気流路１５を通り本体２の下面に形成された給気用吹出し口５から室内側へと給気されるので、給気流路の経路を複雑化しないで、流路抵抗を低減することにより風量の増大および騒音の低減が得られる。
【００３４】
（実施の形態２）
図５に示すように、本体２の側面に給気用吸込み口３と排気用吹出し口４を隣接させて設け、仕切り２２により排気流路と給気流路に区画してダクト接続部２３内で区画された２つの流路を構成し、排気用吹出し口４に連通する排気経路２５と給気用吸込み口３に連通する給気経路２４とを内部で区画して一体的に形成した給排気ダクト１９をダクト接続部２３に接続する構成とする。その他の符号が同一の構成要素については、図１〜図４をもとに説明した実施の形態１と同様であり、その説明は省略する。
【００３５】
上記構成において、本発明の同時給排形換気装置を運転すると、給気ファン８により外気は給排気ダクト１９内の区画された給気流路２４を通り、仕切り２２により区画されたダクト接続部２３内を介して本体２内に吸込まれる。また、排気ファン７により本体２内に吸い込まれた室内の空気は排気用吹出し口４から仕切り２２により区画されたダクト接続部２３内を介して給排気ダクト１９内のの区画された排気流路２５を通り、室外に排出される。
【００３６】
このように本発明によれば、本体２の側面に給気用吸込み口３と排気用吹出し口４を隣接させて設け、仕切り２２により排気流路と給気流路に区画して、ダクト接続部２３内で区画された２つの流路を構成するとともに、排気用吹出し口４に連通する排気経路２５と給気用吸込み口３に連通する給気経路２４とを内部で区画して一体的に形成した給排気ダクト１９をダクト接続部２３に接続する構成としたので、排気ダクトと給気ダクトをそれぞれ別個に必要とせず、施工が容易になるとともに、排気経路と給気経路のダクト抵抗をほぼ等しくできることより、排気風量と給気風量の風量比をほぼ一定に保つことができる。
【００３７】
（実施の形態３）
図６に示すように、給気用ファン８の上流側となる給気用吸込み口３に、矩形の枠体で形成され上方部分に給気清浄フィルターを設け下方部分に取っ手部を設けてなる給気フィルター部２０を配設し、本体２の室内側から引き出し自在な構成とする。
【００３８】
また、排気用ファン７の上流側となる排気用吸込み口６に対向する位置の下方に、端部を支点とし回動させることにより本体２の外側から着脱自在な排気フィルター２１を設ける構成とする。その他の符号が同一の構成要素については、図１〜図４をもとに説明した実施の形態１と同様であり、その説明は省略する。
【００３９】
このように本発明によれば、給気用ファン８の上流側となる給気用吸込み口３に、矩形の枠体で形成され上方部分に給気清浄フィルターを設け下方部分に取っ手部を設けてなる給気フィルター部２０を配設し、本体２の室内側から引き出し自在な構成としたので、室外側から吸い込まれる空気が給気用ケーシング１３に到達する前に、給気フィルター部２０にて汚れを捕集し、その汚れたフィルターのみを本体２を天井壁１から取り外すことなく、本体２から容易に取り外して清掃することができ、メンテナンス性が向上する。
【００４０】
また、排気用ファン７の上流側となる排気用吸込み口６に対向する位置の下方に、端部を支点とし回動させることにより本体２の外側から着脱自在な排気フィルター２１を設けたので、排気フィルター２１が使用者の目に付きやすい本体２の下面に設けられているので、使用者が排気フィルター２１の汚れの判断をしやすく、掃除を促すことができ、また、本体２を取り外すことなく排気フィルター２１のみを本体２から取り外して清掃することができ、メンテナンス性が向上する。
【産業上の利用可能性】
【００４１】
本発明は、天井壁または室内の側壁の開口に納められ、ダクトを介して屋外と連通する箱形の同時給排形換気装置等の用途として有用である。
【図面の簡単な説明】
【００４２】
【図１】本発明の実施の形態１の同時給排形換気装置を示す斜視図
【図２】同同時給排形換気装置を示す下面図
【図３】同同時給排形換気装置の排気経路を示す略断面図
【図４】同同時給排形換気装置の給気経路を示す略断面図
【図５】本発明の実施の形態２の同時給排形換気装置の構成を示す略断面図
【図６】本発明の実施の形態３の同時給排形換気装置の構成を示す略断面図
【図７】従来の換気装置を示す斜視図
【符号の説明】
【００４３】
１    天井壁
２    本体
２ａ  開口
３    給気用吸込み口
４    排気用吹出し口
５    給気用吹出し口
６    排気用吸込み口
７    排気用ファン
８    給気用ファン
９    電動機
１０  回転軸
１１  排気用ケーシング吸込み口
１２  排気用ケーシング
１３  給気用ケーシング
１４  給気用ケーシング吸込み口
１５  給気流路
１６  給気用ケーシング吹出し口
２０  給気フィルター部
２１  排気フィルター
２２  仕切り
【図１】
2005147547.tif 000003
【図２】
2005147547.tif 000004
【図３】
2005147547.tif 000005
【図４】
2005147547.tif 000006
【図５】
2005147547.tif 000007
【図６】
2005147547.tif 000008
【図７】
2005147547.tif 000009